(57)【要約】【課題】製造コストの低減及びコンパクト化を図る。【解決手段】反射ミラーが第１反射位置に位置するときにＧ光が一定時間照射される。第１反射位置では、Ｇ光の光軸Ｌ２が反射ミラーで反射した後にＲ光の光軸Ｌ１上に重なってロッドインテグレータの入射端に収まるため、Ｇ光を効率よくロッドインテグレータに入射させることができる。Ｇ光の照射後、反射ミラーが第２反射位置に揺動する。反射ミラーが第２反射位置に揺動したことが検出されると、Ｂ光が一定時間照射される。第２反射位置では、Ｂ光の光軸Ｌ３がＲ光の光軸Ｌ１に近づいてロッドインテグレータの入射端に収まるため、Ｂ光を効率良くロッドインテグレータに入射させることができる。【選択図】図４
2011237719.tif 000002
【特許請求の範囲】
【請求項１】
発光色が異なる複数の発光素子を並列し、前記発光素子を一定時間ごとに発光させて前記発光素子からの照明光を単一の光インテグレータに順次に入射させ、前記光インテグレータに入射した照明光を前記複数の発光素子の発光タイミングに同期して駆動される画像表示素子に照射して面順次式に画像光を生成するプロジェクタ用照明装置において、
前記照明光軸の各々を含む面に垂直な軸を中心に揺動自在に設けられ、各々の前記発光素子からの照明光を反射する照明光反射部材と、
前記複数の発光素子の発光タイミングと前記照明光反射部材の揺動とを同期させ、前記複数の発光素子から順次に放射される照明光を前記光インテグレータに入射させる揺動制御手段とを備えたことを特徴とするプロジェクタ用照明装置。
【請求項２】
前記光インテグレータをロッドインテグレータで構成するとともに、前記複数の発光素子と前記照明光反射部材との間に、前記複数の発光素子からの照明光を集光して前記ロッドインテグレータの入射端に収束させる集光レンズを設けたことを特徴とする請求項１記載のプロジェクタ用照明装置。
【請求項３】
前記照明光反射部材は反射ミラーであることを特徴とする請求項１又は２記載のプロジェクタ用照明装置。
【請求項４】
前記複数の発光素子は、第１の成分色光を発光する第１発光素子と、第２の成分色光を発光する第２発光素子とからなり、
前記反射ミラーは、前記第１及び第２の成分色光を反射し、かつこれらの成分色光とは異なる第３の成分色光を透過するとともに、前記第１又は第２発光素子のいずれかの前記照明光軸に対し、一定の角度で傾斜した第１反射位置と前記一定の角度とは異なる角度で傾斜した第２反射位置との間で揺動するダイクロックミラーで構成され、
前記第１及び前記第２発光素子とは異なるタイミングで前記第３の成分色光を発光する第３発光素子が、前記ダイクロックミラーで反射された後の前記第１又は第２発光素子の照明光軸を前記ダイクロックミラー側に延長した直線上に配置され、
前記画像表示素子は、前記第１〜第３発光素子の発光タイミングに同期してそれぞれの成分色光に対応する画像を表示するように駆動され、
前記揺動制御手段は、前記第１及び第２発光素子からのそれぞれの照明光を前記光インテグレータに交互に入射させるタイミングで前記ダイクロックミラーを前記第１反射位置と前記第２反射位置との間で揺動させることを特徴とする請求項３記載のプロジェクタ用照明装置。
【請求項５】
前記第１〜第３発光素子が、それぞれ成分色光として赤色光、青色光、緑色光を発光する発光ダイオード又はレーザーダイオードであることを特徴とする請求項４記載のプロジェクタ用照明装置。
【発明の詳細な説明】
【技術分野】
【０００１】
本発明は、発光色が異なる複数の発光素子を使用するプロジェクタ用照明装置に関するものである。
【背景技術】
【０００２】
液晶パネルやＤＭＤ（デジタルマイクロミラーデバイス）などの画像表示素子に画像を表示し、光源からの照明光によってスクリーンに画像を投映するプロジェクタが種々製品化されている。これらのプロジェクタには、照明用の光源としてキセノンランプやメタルハライドランプのほか、最近では発行ダイオード（ＬＥＤ）やレーザーダイオード（ＬＤ）のような固体発光素子も用いられてきている。
【０００３】
特にＬＥＤは、カラー画像の再生に必要な赤色（Ｒ）、緑色（Ｇ）、青色（Ｂ）の発光色を個別に得ることができることから、各色の画像を時系列に画像表示素子に表示させ、これに同期してＬＥＤからの各色の照明光を順次に画像表示素子に照射する面順次式のプロジェクタの光源に適している。面順次式のプロジェクタは、画像表示素子が一枚あればよく、またＬＥＤなどの固体発光素子を用いれば、白色の照明光をＲ，Ｇ，Ｂの成分色光に分解する色分解光学系も不要で、軽量・コンパクト化が容易である。
【０００４】
一方、プロジェクタでは光源からの照明光を画像表示素子の表示面に均一な強度分布で照射することができるように、通常、光インテグレータが用いられている。光インテグレータには、フライアイレンズを利用したものや、角柱状あるいは角筒状のロッドインテグレータを用いたものが知られているが、入射した照明光がもつ光量の強度分布ムラを解消し、画像表示素子の表示面上では照明光の強度分布を均一にする作用をもつ。
【０００５】
特許文献１で知られる面順次式のプロジェクタでは、３種類のＬＥＤを順次に駆動して得られるＲ，Ｇ，Ｂの照明光を損失なくロッドインテグレータに入射させるために、これらのＬＥＤをロッドインテグレータの光軸上に順次に移動させるようにしている。
【先行技術文献】
【特許文献】
【０００６】
【特許文献１】特開２００３−３４６５０３号公報
【発明の概要】
【発明が解決しようとする課題】
【０００７】
特許文献１記載のプロジェクタは、３種類のＬＥＤがロッドインテグレータに常に一定の条件で各色の照明光を入射させることができるため、光量損失もなく画像表示素子の表示面上では均一な照明光が得られるという利点はあるものの、ＬＥＤを高速で回転あるいは進退させなくてはならず、その駆動機構が複雑化しやすい。また、ＬＥＤに駆動電流を供給するための配線の引き回しや接点構造にも工夫を要し、製造コストを上昇させ、あるいはコンパクト化の妨げになるおそれもある。
【０００８】
本発明は上記事情を考慮してなされたもので、その目的は、製造コストの低減及びコンパクト化を図ることができるプロジェクタ用照明装置を提供することにある。
【課題を解決するための手段】
【０００９】
上記目的を達成するにあたり、請求項１記載の発明は、発光色が異なる複数の発光素子を並列し、前記発光素子を一定時間ごとに発光させて前記発光素子からの照明光を単一の光インテグレータに順次に入射させ、前記光インテグレータに入射した照明光を前記複数の発光素子の発光タイミングに同期して駆動される画像表示素子に照射して面順次式に画像光を生成するプロジェクタ用照明装置において、前記照明光軸の各々を含む面に垂直な軸を中心に揺動自在に設けられ、各々の前記発光素子からの照明光を反射する照明光反射部材と、前記複数の発光素子の発光タイミングと前記照明光反射部材の揺動とを同期させ、前記複数の発光素子から順次に放射される照明光を前記光インテグレータに入射させる揺動制御手段とを備えたものである。
【００１０】
また、請求項２記載の発明は、前記光インテグレータをロッドインテグレータで構成するとともに、前記複数の発光素子と前記照明光反射部材との間に、前記複数の発光素子からの照明光を集光して前記ロッドインテグレータの入射端に収束させる集光レンズを設けたものである。
【００１１】
また、請求項３記載の発明は、前記照明光反射部材は反射ミラーであるものである。
【００１２】
また、請求項４記載の発明は、前記複数の発光素子は、第１の成分色光を発光する第１発光素子と、第２の成分色光を発光する第２発光素子とからなり、前記反射ミラーは、前記第１及び第２の成分色光を反射し、かつこれらの成分色光とは異なる第３の成分色光を透過するとともに、前記第１又は第２発光素子のいずれかの前記照明光軸に対し、一定の角度で傾斜した第１反射位置と前記一定の角度とは異なる角度で傾斜した第２反射位置との間で揺動するダイクロックミラーで構成され、前記第１及び前記第２発光素子とは異なるタイミングで前記第３の成分色光を発光する第３発光素子が、前記ダイクロックミラーで反射された後の前記第１又は第２発光素子の照明光軸を前記ダイクロックミラー側に延長した直線上に配置され、前記画像表示素子は、前記第１〜第３発光素子の発光タイミングに同期してそれぞれの成分色光に対応する画像を表示するように駆動され、前記揺動制御手段は、前記第１及び第２発光素子からのそれぞれの照明光を前記光インテグレータに交互に入射させるタイミングで前記ダイクロックミラーを前記第１反射位置と前記第２反射位置との間で揺動させるものである。
【００１３】
また、請求項５記載の発明は、前記第１〜第３発光素子が、それぞれ成分色光として赤色光、青色光、緑色光を発光する発光ダイオード又はレーザーダイオードであるものである。
【発明の効果】
【００１４】
請求項１に係る発明によれば、発光素子の駆動機構が不要になり、また、発光素子に駆動電流を供給するための複雑な配線や接点構造も不要になるため、製造コストの低減及びコンパクト化を図ることができる。さらには、ＬＥＤを移動させずに単にＬＥＤを並べた面順次式のプロジェクタにおいては、光軸のわずかなズレによる光量損失を防いで、効率良く光を光インテグレータに入射させることができる。
【００１５】
請求項２に係る発明によれば、反射ミラーを２つの位置間で移動させることによって、それを超える位置間で揺動させた場合よりも反射ミラーの制御を簡単にしながら、３つの成分色光による画像光を生成することができる。
【００１６】
請求項３に係る発明によれば、集光レンズによって発光素子からの光が拡散することを防止することが可能になるので、反射ミラーを小型化することができる。
【００１７】
請求項４に係る発明によれば、色分解光学系が不要になるので、照明装置を小型化することができる。
【図面の簡単な説明】
【００１８】
【図１】プロジェクタの外観斜視図である。
【図２】プロジェクタ全体の概略的な構成及び反射ミラーが第１反射位置に揺動した状態を示す説明図である。
【図３】反射ミラーが第２反射位置に揺動した状態を示す説明図である。
【図４】各色の光を照射タイミングと反射ミラーの揺動するタイミングとＬＣＤパネルでの画像表示のタイミングとを示すタイミングチャートである。
【図５】３色のＬＥＤを並べた第２実施形態に係るプロジェクタ全体の概略的な構成及び反射ミラーが第１反射位置に揺動した状態を示す説明図である。
【図６】３色のＬＥＤを並べた第２実施形態において、反射ミラーが第２反射位置に揺動した状態を示す説明図である。
【図７】３色のＬＥＤを並べた第２実施形態において、反射ミラーが第３反射位置に揺動した状態を示す説明図である。
【図８】各色の光を照射タイミングと反射ミラーの揺動するタイミングとＬＣＤパネルでの画像表示のタイミングとを示すタイミングチャートである。
【発明を実施するための形態】
【００１９】
図１に示すように、携帯用のプロジェクタ１０は、略直方体をした筐体１１を備えている。筐体１１の前面からは投映レンズ１２が外部に露呈しており、投映レンズ１２からスクリーン上に画像光が投映される。筐体１１の側面には電源スイッチ１３が設けられている。電源スイッチ１３のスライド操作により、プロジェクタ１０の電源のオン／オフが切り替えられる。
【００２０】
図２に示すように、プロジェクタ１０は、照明光学系２０、ＬＣＤパネル２１、投映レンズ１２を備えている。プロジェクタ１０は、照明光学系２０でＬＣＤパネル２１を照明し、ＬＣＤパネル２１を透過した画像光を投映レンズ１２によりスクリーン１５上に投映する。
【００２１】
照明光学系２０は、ＬＥＤ２２，２３，２４、集光レンズ２５ａ，２５ｂ、反射ミラー２６、ロッドインテグレータ２７、リレーレンズ２８を備えている。ＬＥＤ２２はＲ（赤）光、ＬＥＤ２３はＧ（緑）光、ＬＥＤ２４はＢ（青）光を照射する。ロッドインテグレータ２７、リレーレンズ２８、ＬＣＤパネル２１、投映レンズ１２は、Ｒ光の光軸Ｌ１上に配置されている。
【００２２】
ＬＥＤ２３とＬＥＤ２４とは一列に並べられている。ＬＥＤ２３からのＧ光及びＬＥＤ２４からのＢ光は集光レンズ２５ａで集光され、反射ミラー２６に導かれる。ＬＥＤ２２は、反射ミラー２６で反射後のＧ光の光軸Ｌ２を反射ミラー２６側に延長した直線上に配置されている。ＬＥＤ２３は、Ｇ光の光軸Ｌ２がＲ光の光軸Ｌ１に対して直交し、かつＧ光の光軸Ｌ２が集光レンズ２５ａの中心を通るように配置されている。また、ＬＥＤ２４は、Ｇ光の光軸Ｌ２に対してＢ光の光軸Ｌ３が傾き、かつＢ光の光軸Ｌ３が集光レンズ２５ａを通るように配置されている。
【００２３】
反射ミラー２６にはダイクロックミラーが用いられている。反射ミラー２６は、そのダイクロイック面２６ａでＧ光及びＢ光をロッドインテグレータ２７に向けて反射する。反射ミラー２６で反射した光はロッドインテグレータ２７の入射端２７ａに収束する。Ｒ光は集光レンズ２５ｂで集光され、反射ミラー２６を透過してロッドインテグレータ２７の入射端２７ａに収束する。
【００２４】
反射ミラー２６は、光軸Ｌ２及び光軸Ｌ３を含む面に垂直な軸３１ａに軸支されている。軸３１ａは軸受け３１ｂで保持されている。
【００２５】
反射ミラー２６は、ダイクロイック面２６ａがバネ３２によって図中時計回り方向に付勢され、ダイクロイック面２６ａと反対側の面に設けられたカム３３に押し付けられている。カム３３はモータ３４の駆動によって回転する。カム３３は、１／４回転ごとに反射ミラー２６を第１反射位置と第２反射位置との間で揺動させる。第１反射位置では反射ミラー２６はＧ光の光軸Ｌ２に対して一定の角度で傾斜しており、Ｇ光が反射ミラー２６で反射すると光軸Ｌ２がＲ光の光軸Ｌ１上に重なってロッドインテグレータ２７の入射端２７ａ内に収まるが、Ｂ光の光軸Ｌ３は反射ミラー２６で反射した後にロッドインテグレータ２７の入射端２７ａから外れる。
【００２６】
図３に示すように、反射ミラー２６が第２反射位置に移動するとＧ光及びＢ光の反射角が変化する。第２反射位置では反射ミラー２６はＢ光の光軸Ｌ３に対して第１反射位置とは異なる角度で傾斜しており、Ｂ光が反射ミラー２６で反射するとＢ光の光軸Ｌ３がＲ光の光軸Ｌ１に近づいてロッドインテグレータ２７の入射端２７ａに収まるが、Ｇ光の光軸Ｌ２は反射ミラー２６で反射した後にロッドインテグレータ２７の入射端２７ａから外れる。
【００２７】
ＣＰＵ３６はメモリからプロジェクタ１０の駆動プログラムを読み出すことによって、プロジェクタ１０全体の動作を管制する。ＣＰＵ３６はＬＥＤ２２〜２４の点灯制御を行って、ＬＥＤ２２〜２４を所定の順序（ＬＥＤ２２→ＬＥＤ２３→ＬＥＤ２４→ＬＥＤ２２→・・）で一定時間ごとに順次に切り替えて発光させる。また、ＣＰＵ３６は、モータ３４を駆動することによりカム３３を回転させ、ＬＥＤ２２〜２４の切り替えに同期させて反射ミラー２６を第１反射位置と第２反射位置との間で揺動させる。反射ミラー２６が第２反射位置と第１反射位置のいずれに位置するかは、光電センサ３５によって検出される。反射ミラー２６には検出片２６ｂが設けられている。そして、光電センサ３５によって検出片２６ｂが検出された場合はその検出信号がＣＰＵ３６に入力される。ＣＰＵ３６は、検出片２６ｂの検出信号が入力されている場合は反射ミラー２６が第２反射位置に位置することを検出し、検出片２６ｂの検出信号が入力されていない場合は反射ミラー２６が第１反射位置に位置することを検出する。
【００２８】
ロッドインテグレータ２７は、ＬＥＤ２２〜２４からの照明光の強度分布を均一化することにより、ＬＣＤの受光面の光強度分布をその中心から周辺部まで均一にする。ロッドインテグレータ２７に入射した光束は、その内部で全反射を繰り返して重畳され、そこから出射される光束の強度分布が均一化される。
【００２９】
リレーレンズ２８は、２つのレンズ２９，３０で構成されており、ロッドインテグレータ２７の出射端２７ｂから出射された光をＬＣＤパネル２１の受光面に結像する。ＬＣＤパネル２１を透過して生成された画像光は投映レンズ１２に入射する。投映レンズ１２から出射された画像光はスクリーン１５に投影される。ＣＰＵ３６は、Ｒ光が照射されたときは、赤色で表示する画像をＬＣＤパネル２１で表示させる。同様に、ＣＰＵ３６は、Ｇ光が照射されたときは、緑色で表示する画像をＬＣＤパネル２１で表示させ、Ｂ光が照射されたときは、青色で表示する成分をＬＣＤパネル２１で表示させる。これにより、各色に対応する画像光を得ることができ、各色と各色に対応する画像を高速で切り替えることにより、カラー画像を得ることができる。
【００３０】
次に、ＬＥＤ２３，２４の切り替えに同期して反射ミラー２６を揺動させる際の処理を説明する。
【００３１】
図４に示すように、電源スイッチ１３がオンされると、ＬＣＤパネル２１でＲ光に対応する画像が表示されるとともにＬＥＤ２２が点灯してＲ光が照射される。このとき、反射ミラー２６は第１反射位置に位置している。Ｒ光は反射ミラー２６を透過してロッドインテグレータ２７に入射する。Ｒ光の照射中にＬＣＤパネル２１ではＲ光に対応する画像が表示される。Ｒ光が一定時間照射された後にＬＥＤ２２が消灯し、その後ＬＣＤパネル２１の画像表示が終了する。
【００３２】
この後、ＬＣＤパネル２１でＧ光に対応する画像が表示されるとともにＬＥＤ２３が点灯してＧ光が照射される。Ｇ光が一定時間照射された後にＬＥＤ２３が消灯し、その後ＬＣＤパネル２１の画像表示が終了する。第１反射位置では、Ｇ光の光軸Ｌ２が反射ミラー２６で反射した後にＲ光の光軸Ｌ１上に重なってロッドインテグレータ２７の入射端２７ａに収まるため、Ｇ光を効率よくロッドインテグレータ２７に入射させることができる。
【００３３】
ＬＥＤ２３の消灯後、モータ３４が駆動されて反射ミラー２６が第２反射位置に揺動する。反射ミラー２６が第２反射位置に揺動したことが検出されると、ＬＣＤパネル２１ではＢ光に対応する画像が表示されるとともにＬＥＤ２４が点灯してＢ光が照射される。Ｂ光が一定時間照射された後にＬＥＤ２４が消灯するとともにＬＣＤパネル２１の画像表示が終了する。第２反射位置では、Ｂ光の光軸Ｌ３がＲ光の光軸Ｌ１に近づいてロッドインテグレータ２７の入射端２７ａに収まるため、Ｂ光を効率良くロッドインテグレータ２７に入射させることができる。
【００３４】
ＬＥＤ２４の消灯後、モータ３４が駆動されて反射ミラー２６が第１反射位置に揺動する。反射ミラー２６が第１反射位置に揺動したことが検出されると、ＬＥＤ２２が点灯してＲ光が照射され、上記の処理が繰り替えされる。このように、ＬＥＤ２３，２４を一定時間点灯するとともに、これらの切り替えに同期して反射ミラー２６を揺動させるので、各色の光を均等にロッドインテグレータ２７に入射させることができる。
【００３５】
ロッドインテグレータ２７で密度が均一化された各色の光束は、リレーレンズ２８を通過してＬＣＤパネル２１の受光面に結像する。ＬＣＤパネル２１を透過した画像光は投映レンズ１２に入射し、投映レンズ１２から出射された画像光はスクリーン１５上に投影される。
【００３６】
上記第１実施形態では、ＬＥＤ２３とＬＥＤ２４とを一列に並べ、これらの発光と反射ミラー２６の揺動とを同期させたが、ＬＥＤ２２〜２４を一列に並べてこれらの発光と反射ミラー２６の揺動とを同期させてもよい。ＬＥＤ２２〜２４を一列に並べた第２実施形態について以下に説明するが、上記実施形態と同一の部材および機能部については同一符号を用いて詳しい説明は省略する。
【００３７】
図５に示すように、ＬＥＤ２２〜２４は一列に並べられている。ＬＥＤ２２〜２４からのＲ，Ｇ，Ｂ光は集光レンズ２５ａで集光され、反射ミラー４０に導かれる。ＬＥＤ２２は、Ｇ光の光軸Ｌ２に対してＬＥＤ２４と対照に配置されている。
【００３８】
反射ミラー４０の反射面４０ａは、Ｒ，Ｇ，Ｂ光をロッドインテグレータ２７に向けて反射する。
【００３９】
反射ミラー４０は、反射面４０ａがバネ３２によって図中時計回り方向に付勢され、反射面４０ａと反対側の面に設けられたカム４１に押し付けられている。カム４１はモータ３４の駆動によって回転する。カム４１は、１／４回転ごとに反射ミラー２６を第１反射位置と第２反射位置と第３反射位置との間で揺動させる。第１反射位置では反射ミラー２４０はＧ光の光軸Ｌ２に対して一定の角度で傾斜しており、Ｇ光が反射ミラー２６で反射すると光軸Ｌ２がロッドインテグレータ２７の入射端２７ａ内に収まるが、Ｒ光の光軸Ｌ１及びＢ光の光軸Ｌ３は反射ミラー４０で反射した後にロッドインテグレータ２７の入射端２７ａから外れる。
【００４０】
図６に示すように、反射ミラー４０が第２反射位置に移動するとＲ，Ｇ，Ｂ光の反射角が変化する。第２反射位置では、Ｂ光が反射ミラー４０で反射するとＢ光の光軸Ｌ３がロッドインテグレータ２７の入射端２７ａに収まるが、Ｒ光の光軸Ｌ１及びＧ光の光軸Ｌ２は反射ミラー４０で反射した後にロッドインテグレータ２７の入射端２７ａから外れる。
【００４１】
図７に示すように、反射ミラー４０が第３反射位置に移動するとＲ，Ｇ，Ｂ光の反射角が変化する。第３反射位置では、Ｒ光が反射ミラー４０で反射するとＲ光の光軸Ｌ１がロッドインテグレータ２７の入射端２７ａに収まるが、Ｂ光の光軸Ｌ３及びＧ光の光軸Ｌ２は反射ミラー４０で反射した後にロッドインテグレータ２７の入射端２７ａから外れる。
【００４２】
ＣＰＵ３６は、モータ３４を駆動することによりカム４１を回転させ、ＬＥＤ２２〜２４の切り替えに同期させて反射ミラー４０を第１反射位置と第２反射位置と第３反射位置との間で揺動させる。反射ミラー４０の基端部には反射位置検出板４０ｂが設けられている。反射位置検出板４０ｂには、３つのスリット４０ｃが形成されている。スリット４０ｃは光電センサ４２によって検出される。光電センサ４３の検出信号はＣＰＵ３６に入力される。ＣＰＵ３６は、検出されているスリット４０ｃの数によって反射ミラー４０の位置を検出する。
【００４３】
次に、ＬＥＤ２２〜２４の切り替えに同期して反射ミラー４０を揺動させる際の処理を説明する。
【００４４】
図８に示すように、電源スイッチ１３がオンされると、ＬＣＤパネル２１でＲ光に対応する画像が表示されるとともにＬＥＤ２２が点灯してＲ光が照射される。このとき、反射ミラー４０は第３反射位置に位置している。第３反射位置では、Ｒ光の光軸Ｌ１が反射ミラー４０で反射してロッドインテグレータ２７の入射端２７ａに収まるため、Ｒ光を効率よくロッドインテグレータ２７に入射させることができる。Ｒ光の照射中にＬＣＤパネル２１ではＲ光に対応する画像が表示される。Ｒ光が一定時間照射された後にＬＥＤ２２が消灯し、その後ＬＣＤパネル２１の画像表示が終了する。
【００４５】
ＬＥＤ２２の消灯後、モータ３４が駆動されて反射ミラー４０が第１反射位置に揺動する。反射ミラー４０が第１反射位置に揺動したことが検出されると、ＬＣＤパネル２１でＧ光に対応する画像が表示されるとともにＬＥＤ２３が点灯してＧ光が照射される。Ｇ光が一定時間照射された後にＬＥＤ２３が消灯し、その後ＬＣＤパネル２１の画像表示が終了する。第１反射位置では、Ｇ光の光軸Ｌ２が反射ミラー４０で反射した後にロッドインテグレータ２７の入射端２７ａに収まるため、Ｇ光を効率よくロッドインテグレータ２７に入射させることができる。
【００４６】
ＬＥＤ２３の消灯後、モータ３４が駆動されて反射ミラー４０が第２反射位置に揺動する。反射ミラー４０が第２反射位置に揺動したことが検出されると、ＬＣＤパネル２１ではＢ光に対応する画像が表示されるとともにＬＥＤ２４が点灯してＢ光が照射される。Ｂ光が一定時間照射された後にＬＥＤ２４が消灯するとともにＬＣＤパネル２１の画像表示が終了する。第２反射位置では、Ｂ光の光軸Ｌ３がロッドインテグレータ２７の入射端２７ａに収まるため、Ｂ光を効率良くロッドインテグレータ２７に入射させることができる。
【００４７】
ＬＥＤ２４の消灯後、モータ３４が駆動されて反射ミラー４０が第３反射位置に揺動する。反射ミラー４０が第３反射位置に揺動したことが検出されると、ＬＥＤ２２が点灯してＲ光が照射され、上記の処理が繰り替えされる。このように、ＬＥＤ２２〜２４を一定時間点灯するとともに、これらの切り替えに同期して反射ミラー４０を揺動させるので、各色の光を均等にロッドインテグレータ２７に入射させることができる。
【００４８】
ロッドインテグレータ２７で密度が均一化された各色の光束は、リレーレンズ２８を通過してＬＣＤパネル２１の受光面に結像する。ＬＣＤパネル２１を透過した画像光は投映レンズ１２に入射し、投映レンズ１２から出射された画像光はスクリーン１５上に投影される。
【００４９】
上記各実施形態では、発光素子としてＬＥＤを用いたが例えばレーザーダイオードなど他の発光素子を用いてもよい。
【００５０】
上記各実施形態では、反射ミラー２６，４０が揺動したことに応答してＬＥＤ２２〜２４の点灯及びＬＥＤパネル２１での画像表示を行うことにより、各々を同期させたが、反射ミラー２６，４０の駆動信号、ＬＥＤ２２〜２４の駆動信号、ＬＣＤパネル２１の駆動信号の出力タイミングにより各々を同期させる、あるいは、ＬＥＤ２２〜２４の点灯及び消灯のタイミングに合わせて反射ミラー２６，４０を揺動して各々を同期させるなど、同期の方法は適宜方法にしてよい。
【００５１】
上記各実施形態では、ＬＥＤ２３とＬＥＤ２４を並べるか又はＬＥＤ２２〜２４を並べて配置したが、並べて配置する発光素子の数及び各ＬＥＤの色は適宜数及び適宜色にしてよい。例えば、Ｒ，Ｇ，Ｂからなる３色の発光色を有する発光素子を並列することも可能である。この場合には、ダイクロックミラーは不要になり単なる反射ミラーを用い、発光色ごとに決められた位置に反射ミラーを揺動させればよい。
【００５２】
上記各実施形態では、光インテグレータとして、ロッドインテグレータを例に挙げたが、フライアイレンズを用いてもよい。
【００５３】
上記各実施形態では、モータとカムとによって反射ミラーを揺動したが、例えばソレノイドなどのアクチュエータなど他の装置によって反射ミラーを揺動してよい。
【００５４】
上記各実施形態では、照明光反射部材として反射ミラーを用いたが、例えばビームスプリッターを用いるなど、反射ミラー以外の部材を用いてもよい。
【００５５】
上記各実施形態では、携帯用のプロジェクタ１０を挙げて説明したが、例えば、据え置き型のプロジェクタなど他のタイプのプロジェクタに本発明を適用してもよい。
【符号の説明】
【００５６】
１０  プロジェクタ
２２，２３，２４  ＬＥＤ
２６，４０  反射ミラー
３１  軸
３２  軸受け
３３  カム
３４  モータ
３６  ＣＰＵ
【図１】
2011237719.tif 000003
【図２】
2011237719.tif 000004
【図３】
2011237719.tif 000005
【図４】
2011237719.tif 000006
【図５】
2011237719.tif 000007
【図６】
2011237719.tif 000008
【図７】
2011237719.tif 000009
【図８】
2011237719.tif 000010